(57)【要約】【課題】ディスクの排出時の引き抜き負荷を軽減し、ユーザの操作性の向上が可能なディスク装置を提供する。【解決手段】シャーシ１０に設けたディスク差込口１０ａからディスク４をスロットイン方式の搬送機構によりターンテーブル７まで搬送して再生するディスク再生装置であって、搬送機構として、搬送ローラ３とディスクガイド５とによりディスク４を挟持し、搬送ローラ３の回転によりディスク４を搬送し、搬送ローラ３は、駆動電源６から印加される電圧により回転する搬送モータ１の回転軸に取り付けたギア２−ａと嵌合したギア列２−ｂ，…，２−ｅを介して回転する機構を備える。ディスク４の排出時に、ディスク４の一部がディスク差込口１０ａから外部に突出した排出終了位置まで排出され、搬送ローラ３の回転を停止した以降も、搬送モータ１が自発的には回転しない微小な電圧値としてあらかじめ定めた電圧を駆動電源６から搬送モータ１に印加し続ける。【選択図】        図１
2010097675.tif 000002
【特許請求の範囲】
【請求項１】
ディスク差込口からディスクを搬送機構によりターンテーブルまで搬送して再生するディスク再生装置であって、前記搬送機構は、搬送ローラとディスクガイドとにより前記ディスクを挟持して、前記搬送ローラの回転により前記ディスクを搬送するものであり、前記搬送ローラは、駆動電源から印加される電圧により回転する搬送モータの回転軸に取り付けたギアと嵌合したギア列を介して回転する機構を備えたディスク再生装置において、前記ディスクを排出するために、前記搬送機構により前記ディスクを前記ディスク差込口の方向に搬送させ、前記ディスクの一部が前記ディスク差込口から外部に突出した排出終了位置まで排出されたイジェクト完了状態に達して、前記搬送ローラの回転が停止された以降、前記搬送モータが自発的には回転しない微小な電圧値としてあらかじめ定めた電圧を前記駆動電源から前記搬送モータに継続して印加することを特徴とするディスク再生装置。
【請求項２】
前記イジェクト完了状態に達して、前記搬送ローラの回転が停止された際に、あらかじめ定めた時限を計時するタイマを起動し、該タイマが前記あらかじめ定めた時限に達した時点で、前記駆動電源は、前記搬送モータが自発的には回転しない微小な電圧値としてあらかじめ定めた電圧を前記搬送モータに印加している状態から、出力する電圧をＯＦＦにし、前記搬送モータに電圧を印加しない状態に切り替えることを特徴とする請求項１に記載のディスク再生装置。
【発明の詳細な説明】
【技術分野】
【０００１】
本発明は、ディスク再生装置に関し、特に、ディスク排出時におけるディスク引き抜き感の改善を図ったディスク再生装置に関する。
【背景技術】
【０００２】
ＣＤ（Compact Disc）やＤＶＤ（Digital Versatile Disc）等のディスクを再生するディスク再生装置においては、特に、カーオーディオを中心にして、ディスクをディスク再生装置本体の内部に搬送させたり、外部に排出させたりするためのディスク差込口が設けられているものが一般的になっている。また、かかるディスク再生装置については、ディスクを搬送ローラとディスクガイドとの間で挟み込んで、搬送ローラの回転運動によって、ディスクの搬送を行ういわゆる「スロットイン方式」のディスク搬送機構を備えたものがある。
【０００３】
このような「スロットイン方式」のディスク再生装置の場合、例えば、特許文献１の特開２００４−７９０５１号公報「ディスク装置」にも記載のように、ディスクの排出の際に、ディスクの一部がディスク差込口から外部に突出した排出終了位置まで排出されて、搬送ローラの回転動作を停止した状態においても、ディスクの再挿入を行うリロード処理やディスクの落下の防止を図るために、搬送ローラとディスクガイドとの間にディスクが挟持された状態が継続し、ユーザが、ディスクをディスク差込口から引き抜こうとしても、ディスクがより強く挟持される状態になり、かなりの力を加えないと、ディスクを引き抜くことができないようになっている。
【０００４】
かかる状況を、図２を用いてさらに説明する。図２は、従来のディスク再生装置のディスク搬送機構を説明するための模式図であり、ディスクを排出する際のディスク搬送機構の要部の動作状態を模式的に示している。図２（Ａ）は、例えば図示していないイジェクトボタンの押下操作がなされて、ローディング状態にあったディスク４を、載置されたターンテーブル７からディスク差込口１０ａへと排出するイジェクト動作中の状態を示し、図２（Ｂ）は、ディスク４の一部がディスク差込口１０ａから外部に突出した排出終了位置まで排出されたイジェクト完了状態を示し、図２（Ｃ）は、ユーザによってディスク４がディスク差込口１０ａから外部に引き抜かれる際の状態を示している。
【０００５】
ユーザによって例えばイジェクトボタンの押下操作がなされると、該イジェクトボタンの押下操作を検知スイッチによって検出し、図２（Ａ）のイジェクト動作中状態に示すように、ディスク搬送機構の駆動電源６の電源をＯＮにして、搬送モータ１に電圧を加えることによって、搬送モータ１をディスク排出方向に回転させる。搬送モータ１が回転すると、搬送モータ１の回転軸に固定されているギア２−ａから、順次、互いに嵌合しているギア２−ｂ，２−ｃ，２−ｄ，２−ｅのギア列２を経由して、搬送モータ１の回転が、搬送ローラ３に伝達されて、搬送ローラ３は、ディスク４の排出方向に回転する。
【０００６】
搬送ローラ３の排出方向への回転により、ディスク４は、搬送ローラ３と略対向する位置に配置されているディスクガイド５に押し当てられた状態で、ディスク再生装置のシャーシ１０に穿孔されているディスク差込口１０ａの方向に搬送される。ここで、ディスクガイド５は、ディスク４の搬送方向と直交する方向に延在した略三角柱状の形状であるが、より詳しくは、三角柱の中央部が凹み、端部に向かって傾斜面を有する形状であり、ディスク４の外縁部にのみ当接する形状とされている。
【０００７】
搬送ローラ３の排出方向への回転により、ディスク４の一部がシャーシ１０のディスク差込口１０ａから外部に突出した排出終了位置まで排出されたことが、ディスクの現在位置を検出するために設けられている検出スイッチ等によって検出されると、図２（Ｂ）に示すイジェクト完了状態に移行して、搬送ローラ３の回転を停止させるために、駆動電源６から搬送モータ１に対してショートブレーキを掛けて、または、逆転ブレーキ用の電圧を印加して、搬送モータ１の回転を停止させる。
【０００８】
搬送モータ１の回転が停止し、搬送ローラ３の回転が停止したことを検知すると、駆動電源６から搬送モータ１への電圧はＯＦＦ状態になり、これにより、ディスク４は、回転動作が停止した搬送ローラ３とディスクガイド５との間で挟持された状態になる。
【０００９】
ディスク４の一部がシャーシ１０のディスク差込口１０ａから外部に突出した排出終了位置まで排出されたことを認識したユーザが、外部に突出したディスク４をディスク差込口１０ａから取り出すために、ディスク４の一部を把持して、ディスク差込口１０ａから引き抜こうとすると、図２（Ｃ）の状態に移行する。
【００１０】
ここで、前述のように、駆動電源６をＯＦＦにしているので、搬送モータ１には電圧はかかっていない。したがって、搬送モータ１の回転軸は停止したままであり、ギア列２は回転することができない状態になっている。このため、ユーザが、ディスク４を引き抜こうとすると、図２（Ｃ）の回転力２０に示すような応力が搬送ローラ３にかかり、搬送ローラ３は、ディスクガイド５との間で、ディスク４をより強く挟み込んでしまう。この結果、ディスク４の引き抜きの負荷が増大し、ユーザはかなりの力を加えないと、ディスク４をディスク差込口１０ａから引き抜くことができなくなり、ユーザに対して操作上の不快感を与えるだけではなく、ディスク４の記録面を傷つけたり、場合によっては、ディスク４の破損に繋がったりしている。
【特許文献１】特開２００４−７９０５１号公報（第１０−１２頁）
【発明の開示】
【発明が解決しようとする課題】
【００１１】
以上のように、従来技術においては、ユーザがディスク４をディスク差込口１０ａから引き抜く際に、ディスク４が当接している搬送ローラ３を回転させても、搬送モータ１に電圧を印加していないので、ギア列２を回転させることができなく、ディスク４の引き抜きにより、搬送ローラ３に回転力２０に相当する応力が発生してしまい、ディスク４を搬送ローラ３とディスクガイド５との間でより強く挟み込んでしまい、ディスク４の引き抜きの負荷が増大し、ユーザに対して操作上の不快感を与えるだけではなく、ディスク４の記録面を傷つけたり、場合によっては、ディスク４の破損に繋がったりするという問題がある。
【００１２】
本発明は、かかる事情に鑑みてなされたものであり、ディスクの排出時における引き抜き負荷を軽減し、ユーザの操作性の向上を図るとともに、ディスクの記録面を傷つけたり、ディスクの破損を招いたりしないディスク再生装置を提供することを、その目的としている。
【課題を解決するための手段】
【００１３】
前述の課題を解決するため、本発明によるディスク再生装置は、次のような特徴的な構成を採用している。
【００１４】
（１）ディスク差込口からディスクを搬送機構によりターンテーブルまで搬送して再生するディスク再生装置であって、前記搬送機構は、搬送ローラとディスクガイドとにより前記ディスクを挟持して、前記搬送ローラの回転により前記ディスクを搬送するものであり、前記搬送ローラは、駆動電源から印加される電圧により回転する搬送モータの回転軸に取り付けたギアと嵌合したギア列を介して回転する機構を備えたディスク再生装置において、前記ディスクを排出するために、前記搬送機構により前記ディスクを前記ディスク差込口の方向に搬送させ、前記ディスクの一部が前記ディスク差込口から外部に突出した排出終了位置まで排出されたイジェクト完了状態に達して、前記搬送ローラの回転が停止された以降、前記搬送モータが自発的には回転しない微小な電圧値としてあらかじめ定めた電圧を前記駆動電源から前記搬送モータに継続して印加するディスク再生装置。
（２）前記イジェクト完了状態に達して、前記搬送ローラの回転が停止された際に、あらかじめ定めた時限を計時するタイマを起動し、該タイマが前記あらかじめ定めた時限に達した時点で、前記駆動電源は、前記搬送モータが自発的には回転しない微小な電圧値としてあらかじめ定めた電圧を前記搬送モータに印加している状態から、出力する電圧をＯＦＦにし、前記搬送モータに電圧を印加しない状態に切り替える上記（１）のディスク再生装置。
【発明の効果】
【００１５】
本発明によるディスク再生装置によれば、以下のような効果を奏することができる。
【００１６】
ディスクの一部がディスク差込口から外部に突出した排出終了位置まで排出されたイジェクト完了状態においても、搬送モータの回転軸が自発的には回転しない電圧値としてあらかじめ定めた微小な電圧が搬送モータに対して印加された状態が継続しているので、ユーザがディスクをディスク差込口から引き抜く際に、搬送ローラの回転に応じてギア列も回転することが可能となり、ディスクの排出時における引き抜き負荷を軽減することができる。
【００１７】
而して、ディスク引き抜き操作におけるユーザの操作性の向上を図ることができるとともに、ディスク引き抜き時において、ディスクの記録面を傷つけたり、ディスクの破損を招いたりすることも防止することができる。
【発明を実施するための最良の形態】
【００１８】
以下、本発明によるディスク再生装置の好適な実施例について添付図を参照して説明する。なお、本ディスク再生装置において再生するディスク（記録媒体）は、ＣＤ（Compact Disc）、ＤＶＤ（Digital Versatile Disc）、ＢＤ（Blu-ray Disc）、ＭＤ（Mini-Disc）などを含め、如何なる種類、サイズの記録媒体であっても適用することが可能である。
【００１９】
（本発明の特徴）
本発明の実施形態の説明に先立って、本発明の特徴についてその概要をまず説明する。本発明によるディスク再生装置は、「スロットイン方式」のディスク再生装置に関するものであり、ディスクの排出時において、ディスクの一部がディスク差込口から外部に突出した排出終了位置まで排出されたイジェクト動作完了状態に達した後においても、搬送モータの回転軸が自発的には回転しない電圧値としてあらかじめ定めた微小な電圧を搬送モータへ印加し続けることを、その主要な特徴としている。
【００２０】
（本発明の実施形態）
次に、本発明によるディスク再生装置の一実施形態について、図１を用いて説明する。図１は、本発明によるディスク再生装置のディスク搬送機構の一例を説明するための模式図であり、図２に示した従来技術の場合と同様、ディスクを排出する際のディスク搬送機構の要部の動作状態を模式的に示している。図１（Ａ）は、例えば図示していないイジェクトボタンの押下操作がなされて、ローディング状態にあったディスク４を、載置されたターンテーブル７からディスク差込口１０ａへと排出するイジェクト動作中の状態を示し、図１（Ｂ）は、ディスク４の一部がディスク差込口１０ａから外部に突出した排出終了位置まで排出されたイジェクト完了状態を示し、図１（Ｃ）は、ユーザによってディスク４がディスク差込口１０ａから外部に引き抜かれる際の状態を示している。
【００２１】
ユーザによって例えばイジェクトボタンの押下操作がなされると、図２（Ａ）の場合と同様、該イジェクトボタンの押下操作を検知スイッチによって検出し、図１（Ａ）のイジェクト動作中状態に示すように、ディスク搬送機構の駆動電源６の電源をＯＮにして、搬送モータ１に電圧を加えることによって、搬送モータ１をディスク排出方向に回転させる。搬送モータ１が回転すると、搬送モータ１の回転軸に固定されているギア２−ａから、順次、互いに嵌合しているギア２−ｂ，２−ｃ，２−ｄ，２−ｅのギア列２を経由して、搬送モータ１の回転が、搬送ローラ３に伝達されて、搬送ローラ３は、ディスク４の排出方向に回転する。
【００２２】
搬送ローラ３の排出方向への回転により、ディスク４は、搬送ローラ３と略対向する位置に配置されているディスクガイド５に押し当てられた状態で、ディスク再生装置のシャーシ１０に穿孔されているディスク差込口１０ａの方向に搬送される。ここで、搬送ローラ３は、例えば、金属製のローラ軸の周囲に合成ゴム等の表面摩擦係数が大きい材料を巻き付けた形状からなり、ディスクガイド５は、例えば、合成樹脂等の表面摩擦係数が小さい材料からなっている。また、ディスクガイド５は、ディスク４の搬送方向と直交する方向に延在した略三角柱状または突起部を有する円柱状の形状であるが、より詳しくは、該三角柱や該円柱の中央部が凹み、端部に向かって傾斜面を有する鼓状の形状であり、ディスク４の外縁部にのみ当接する形状とされている。
【００２３】
搬送ローラ３の排出方向への回転により、ディスク４の一部がシャーシ１０のディスク差込口１０ａから外部に突出した排出終了位置まで排出されたことが、ディスクの現在位置を検出するために設けられている検出スイッチ等によって検出されると、図１（Ｂ）に示すイジェクト完了状態に移行して、搬送ローラ３の回転を停止させるために、図２（Ｂ）の場合と同様に、駆動電源６から搬送モータ１に対してショートブレーキを掛けて、または、逆転ブレーキ用の電圧を印加して、搬送モータ１の回転を停止させる。
【００２４】
ここで、搬送モータ１の回転が停止し、搬送ローラ３の回転が停止したことを検知すると、本実施形態においては、図２（Ｂ）の場合とは異なり、駆動電源６から搬送モータ１への電圧をＯＦＦにするのではなく、駆動電源６は、回転軸が自発的には回転しない程度の電圧値（例えば、０．３Ｖ〜０．５Ｖ）としてあらかじめ定めた微小な電圧を搬送モータ１に対して印加し続ける状態に設定される。これにより、ディスク４は、回転動作が停止した搬送ローラ３とディスクガイド５との間で挟持された状態になるが、ディスク４に対して排出方向または挿入方向へ外力が加えられて、該ディスク４が当接している搬送ローラ３が回転した場合、ギア列２、搬送モータ１もその回転方向に応じて回転することが可能な状態に設定される。
【００２５】
かかる状態において、ディスク４の一部がシャーシ１０のディスク差込口１０ａから外部に突出した排出終了位置まで排出されたことを認識したユーザが、外部に突出したディスク４をディスク差込口１０ａから取り出すために、ディスク４の一部を把持して、ディスク差込口１０ａから引き抜こうとすると、図１（Ｃ）の状態に移行する。
【００２６】
ここで、前述したように、駆動電源６からは微小な電圧が出力され続けており、搬送モータ１に該微小な電圧が印加され続けている。したがって、ディスク４を引き抜く操作がなされると、該ディスク４が当接している搬送ローラ３が回転することになるが、この際に、ギア列２、搬送モータ１も、搬送ローラ３の回転方向に応じて回転することになる。
【００２７】
したがって、図１に示す本実施形態においては、ユーザが、ディスク４を引き抜こうとした際に、搬送ローラ３は軽く回転することが可能になり、従来技術における図２（Ｃ）に示すような回転力２０が搬送ローラ３にかかることはなく、搬送ローラ３とディスクガイド５との間で、ディスク４をより強く挟み込んでしまうような事態は生じなくなる。この結果、ディスク４を引き抜く際の負荷が大幅に軽減し、ユーザは、ディスク４の一部を把持して軽く引き出すだけで、ディスク４をディスク差込口１０ａから引き抜くことができ、ユーザに対する操作の向上を図ることができるだけでなく、ディスク４の記録面を傷つけたり、ディスク４の破損を引き起こしたりする事態も確実に防止することができる。
【００２８】
なお、ディスク４の一部がシャーシ１０のディスク差込口１０ａから外部に突出した排出終了位置まで排出されたことが、ディスクの位置を検出するために設けられている検出スイッチ等によって検出され、図１（Ｂ）に示すイジェクト完了状態に移行した際に、タイマを起動して、微小な電圧を印加し続ける時間を示す継続印加時間としてあらかじめ定めた時限が経過するか否かを監視し、該継続印加時間が経過した際に、駆動電源６からの微小な電圧の出力を停止し、搬送モータ１に対する電圧の供給をＯＦＦにし、搬送モータ１に電圧を印加しない状態に切り替えるようにしても良い。これにより、長時間に亘って、ディスク４の一部がディスク差込口１０ａから外部に突出したままになって、ユーザの不注意等により、ディスク４を落下させて、記録面に傷をつけたり破損してしまったりする事故をより確実に防止することもできる。
【００２９】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【００３０】
【図１】本発明によるディスク再生装置のディスク搬送機構の一例を説明するための模式図である。
【図２】従来のディスク再生装置のディスク搬送機構を説明するための模式図である。
【符号の説明】
【００３１】
１      搬送モータ
２−ａ  ギア
２−ｂ  ギア
２−ｃ  ギア
２−ｄ  ギア
２−ｅ  ギア
３      搬送ローラ
４      ディスク
５      ディスクガイド
６      駆動電源
７      ターンテーブル
１０    シャーシ
１０ａ  ディスク差込口
２０    回転力
【図１】
2010097675.tif 000003
【図２】
2010097675.tif 000004